【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
複数の無線アクセス技術（ＲＡＴ）を使用して１つまたは複数のワイヤレスネットワークと通信するための方法であって、
ユーザ機器（ＵＥ）によって、第１のワイヤレスネットワークにアクセスするために第１の接続を介して第１のＲＡＴを使用して第１のアクセスポイントと通信することと、
前記ＵＥによって、第２の接続を介して第２のＲＡＴを使用して第２のアクセスポイントと通信することと、ここにおいて、前記第２の接続が、前記第１のアクセスポイントから前記ＵＥによって受信された構成に少なくとも部分的に基づいて前記第１の接続とのトラフィックアグリゲーションを実施するように構成される、
前記ＵＥによって、少なくとも部分的に、前記第１の接続との前記トラフィックアグリゲーションの前記実施をベースとした前記第２の接続を管理することと
を備え、
ここにおいて、前記第１のＲＡＴは、ワイヤレスワイドエリアネットワーク（ＷＷＡＮ）ＲＡＴであり、前記第２のＲＡＴは、ワイヤレスローカルエリアネットワーク（ＷＬＡＮ）ＲＡＴである、
ここにおいて、前記第２の接続を管理することは、前記トラフィックアグリゲーションを実施するように構成された前記第２の接続が、前記第２のＲＡＴの１つまたは複数の他の接続よりも優先されるかどうかを決定することを備える、
方法。
【請求項２】
前記トラフィックアグリゲーションを実施するように構成された前記第２の接続が前記第２のＲＡＴの前記１つまたは複数の他の接続よりも優先されるかどうかを決定することが、前記第１のアクセスポイントまたは前記第２のアクセスポイントによって構成される１つまたは複数のポリシーに少なくとも部分的に基づく、請求項１に記載の方法。
【請求項３】
前記１つまたは複数のポリシーは、前記トラフィックアグリゲーションを実施するように構成された前記第２のＲＡＴの接続が前記第２のＲＡＴの他の接続よりも優先されることを指定し、前記１つまたは複数の他の接続を許可しないことをさらに備える、ここで、前記１つまたは複数の他の接続が、前記第２のＲＡＴに関係する他のポリシーにかかわらず前記第２のＲＡＴに関係する、請求項２に記載の方法。
【請求項４】
前記１つまたは複数のポリシーは、前記トラフィックアグリゲーションを実施するように構成された前記第２のＲＡＴの接続が、前記第２のＲＡＴの他の接続に関係するルールのサブセットよりも優先されることを指定し、
ルールの前記サブセットが適用される前記１つまたは複数の他の接続を許可しないこと、ここで、前記１つまたは複数の他の接続が前記第２のＲＡＴに関係する、または
ルールの前記サブセットが適用されない前記１つまたは複数の他の接続を許可することと、ここで、前記１つまたは複数の他の接続が前記第２のＲＡＴに関係する、
前記１つまたは複数の他の接続のほうを優先して前記第２の接続を無効化することと
のうちの少なくとも１つをさらに備える、請求項２に記載の方法。
【請求項５】
トラフィックアグリゲーションを利用する１つまたは複数の接続のアクティブ化または非アクティブ化を検出することに少なくとも部分的に基づいて前記１つまたは複数のポリシーを再構成すべきかどうかを決定することをさらに備える、請求項４に記載の方法。
【請求項６】
前記第２の接続を管理することは、トラフィックアグリゲーションを使用するように構成された前記第２のＲＡＴの接続が、前記第２のＲＡＴの他の接続よりも優先されると決定することに少なくとも部分的に基づいて第２のＲＡＴインターフェースに前記第２のＲＡＴの他のネットワークの利用可能性を報告することを控えることを備える、請求項１に記載の方法。
【請求項７】
前記第２の接続を管理することは、トラフィックアグリゲーションを使用するように構成された前記第２のＲＡＴの接続が、前記第２のＲＡＴの他の接続よりも優先されると決定することに少なくとも部分的に基づいて前記第２のＲＡＴの選択機能に前記第２のＲＡＴの他のネットワークの利用可能性を報告することを控えることを備える、請求項１に記載の方法。
【請求項８】
前記第２の接続を管理することは、トラフィックアグリゲーションを実施するように構成された前記第２のＲＡＴの接続が、他のＲＡＴを利用する１つまたは複数の他の接続よりも優先されるかどうかを決定することを備える、請求項１に記載の方法。
【請求項９】
トラフィックアグリゲーションを実施するように構成された前記第２のＲＡＴの接続が、他のＲＡＴを利用する他の接続よりも優先されるかどうかを決定することが、前記第１のアクセスポイントまたは前記第２のアクセスポイントによって構成される１つまたは複数のポリシーに少なくとも部分的に基づく、請求項８に記載の方法。
【請求項１０】
前記第２の接続を管理することが、前記１つまたは複数の他の接続を許可しないことを備える、ここにおいて、前記１つまたは複数の他の接続が、他のＲＡＴに関係する、ここにおいて、決定することは、トラフィックアグリゲーションを使用するように構成された前記第２のＲＡＴの接続が、他のＲＡＴを利用する接続よりも優先されると決定することを含む、請求項８に記載の方法。
【請求項１１】
前記第２の接続を管理することが、トラフィックアグリゲーションを利用すべき複数のベアラのサブセットを決定することに少なくとも部分的に基づき、
前記第２のＲＡＴを使用した前記複数のベアラの前記サブセットを介した通信のために前記第２の接続を利用することと、
前記第２のＲＡＴを使用した前記複数のベアラの残りの部分を介した通信のために１つまたは複数の他の接続を利用することと
をさらに備える、請求項１に記載の方法。
【請求項１２】
前記複数のベアラの前記残りの部分を介した通信のために前記１つまたは複数の他の接続を利用することが、前記第２のＲＡＴのための１つまたは複数のポリシーに少なくとも部分的に基づく、請求項１１に記載の方法。
【請求項１３】
前記第２のＲＡＴを使用した前記複数のベアラの前記サブセットを介した通信のために前記第２の接続を利用することが、前記１つまたは複数の他の接続にオフロードするために前記複数のベアラが利用可能でないことを示すことを備える、請求項１１に記載の方法。
【請求項１４】
複数の無線アクセス技術（ＲＡＴ）を使用して１つまたは複数のワイヤレスネットワークと通信するためのユーザ機器（ＵＥ）であって、
第１のワイヤレスネットワークにアクセスするために第１の接続を介して第１のＲＡＴを使用して第１のアクセスポイントと通信するための手段と、
第２の接続を介して第２のＲＡＴを使用して第２のアクセスポイントと通信するための手段と、ここにおいて、前記第２の接続が、前記第１のアクセスポイントから前記ＵＥによって受信された構成に少なくとも部分的に基づいて前記第１の接続とのトラフィックアグリゲーションを実施するように構成される、
少なくとも部分的に、前記第１の接続との前記トラフィックアグリゲーションの前記実施をベースとした前記第２の接続を管理するための手段と、
を備え、
ここにおいて、前記第１のＲＡＴは、ワイヤレスワイドエリアネットワーク（ＷＷＡＮ）ＲＡＴであり、前記第２のＲＡＴは、ワイヤレスローカルエリアネットワーク（ＷＬＡＮ）ＲＡＴである、
ここにおいて、前記第２の接続を管理するための前記手段は、少なくとも部分的に、前記トラフィックアグリゲーションを実施するように構成された前記第２の接続が、前記第２のＲＡＴの１つまたは複数の他の接続よりも優先されるかどうかを決定することによって前記第２の接続を管理するように構成される、
ユーザ機器。
【請求項１５】
コンピュータによって実行されたとき、請求項１−１３のうちのいずれかに記載のステップを実行するための命令を備える、コンピュータプログラム。
【手続補正２】
【補正対象書類名】明細書
【補正対象項目名】０１１１
【補正方法】変更
【補正の内容】
【０１１１】
[00122]本開示についての以上の説明は、いかなる当業者も本開示を作成または使用することができるように与えたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
複数の無線アクセス技術（ＲＡＴ）を使用して１つまたは複数のワイヤレスネットワークと通信するための方法であって、
第１のワイヤレスネットワークにアクセスするために第１の接続を介して第１のＲＡＴを使用して第１のアクセスポイントと通信することと、
第２の接続を介して第２のＲＡＴを使用して第２のアクセスポイントと通信することと、ここにおいて、前記第２の接続が、前記第１のアクセスポイントから受信された構成に少なくとも部分的に基づいて前記第１の接続とのトラフィックアグリゲーションを実施するように構成される、
前記第１の接続との前記トラフィックアグリゲーションの前記第２の接続を少なくとも部分的にベースとした前記実施を管理することと
を備える、方法。
［Ｃ２］
前記第２の接続を管理することは、前記トラフィックアグリゲーションを実施するように構成された前記第２の接続が、前記第２のＲＡＴの１つまたは複数の他の接続よりも優先されるかどうかを決定することを備える、Ｃ１に記載の方法。
［Ｃ３］
前記トラフィックアグリゲーションを実施するように構成された前記第２の接続が前記第２のＲＡＴの前記１つまたは複数の他の接続よりも優先されるかどうかを決定することが、前記第１のアクセスポイントまたは前記第２のアクセスポイントによって構成される１つまたは複数のポリシーに少なくとも部分的に基づく、Ｃ２に記載の方法。
［Ｃ４］
前記１つまたは複数のポリシーは、前記トラフィックアグリゲーションを実施するように構成された前記第２のＲＡＴの接続が前記第２のＲＡＴの他の接続よりも優先されることを指定し、前記１つまたは複数の他の接続を許可しないことをさらに備える、ここで、前記１つまたは複数の他の接続が、前記第２のＲＡＴに関係する他のポリシーにかかわらず前記第２のＲＡＴに関係する、Ｃ３に記載の方法。
［Ｃ５］
前記１つまたは複数のポリシーは、前記トラフィックアグリゲーションを実施するように構成された前記第２のＲＡＴの接続が、前記第２のＲＡＴの他の接続に関係するルールのサブセットよりも優先されることを指定し、
ルールの前記サブセットが適用される前記１つまたは複数の他の接続を許可しないこと、ここで、前記１つまたは複数の他の接続が前記第２のＲＡＴに関係する、または
ルールの前記サブセットが適用されない前記１つまたは複数の他の接続を許可することと、ここで、前記１つまたは複数の他の接続が前記第２のＲＡＴに関係する、前記１つまたは複数の他の接続のほうを優先して前記第２の接続を無効化することと
のうちの少なくとも１つをさらに備える、Ｃ３に記載の方法。
［Ｃ６］
トラフィックアグリゲーションを利用する１つまたは複数の接続のアクティブ化または非アクティブ化を検出することに少なくとも部分的に基づいて前記１つまたは複数のポリシーを再構成すべきかどうかを決定することをさらに備える、Ｃ５に記載の方法。
［Ｃ７］
前記第２の接続を管理することは、トラフィックアグリゲーションを使用するように構成された前記第２のＲＡＴの接続が、前記第２のＲＡＴの他の接続よりも優先されると決定することに少なくとも部分的に基づいて第２のＲＡＴインターフェースに前記第２のＲＡＴの他のネットワークの利用可能性を報告することを控えることを備える、Ｃ２に記載の方法。
［Ｃ８］
前記第２の接続を管理することは、トラフィックアグリゲーションを使用するように構成された前記第２のＲＡＴの接続が、前記第２のＲＡＴの他の接続よりも優先されると決定することに少なくとも部分的に基づいて前記第２のＲＡＴの選択機能に前記第２のＲＡＴの他のネットワークの利用可能性を報告することを控えることを備える、Ｃ２に記載の方法。
［Ｃ９］
前記第２の接続を管理することは、トラフィックアグリゲーションを実施するように構成された前記第２のＲＡＴの接続が、他のＲＡＴを利用する１つまたは複数の他の接続よりも優先されるかどうかを決定することを備える、Ｃ１に記載の方法。
［Ｃ１０］
トラフィックアグリゲーションを実施するように構成された前記第２のＲＡＴの接続が、他のＲＡＴを利用する他の接続よりも優先されるかどうかを決定することが、前記第１のアクセスポイントまたは前記第２のアクセスポイントによって構成される１つまたは複数のポリシーに少なくとも部分的に基づく、Ｃ９に記載の方法。
［Ｃ１１］
前記第２の接続を管理することが、前記１つまたは複数の他の接続を許可しないことを備える、ここにおいて、前記１つまたは複数の他の接続が、他のＲＡＴに関係する、ここにおいて、決定することは、トラフィックアグリゲーションを使用するように構成された前記第２のＲＡＴの接続が、他のＲＡＴを利用する接続よりも優先されると決定することを含む、Ｃ９に記載の方法。
［Ｃ１２］
前記第２のＲＡＴを使用して１つまたは複数の他の接続を開始するという指示を受信すること、ここにおいて、前記第２の接続を管理することが、前記第２の接続を無効化することと、前記１つまたは複数の他の接続をアクティブ化することとを備える、をさらに備える、Ｃ１に記載の方法。
［Ｃ１３］
前記指示を受信することが、インターフェース選択あるいは前記第２のＲＡＴの１つまたは複数のポリシーから前記指示を受信することを備える、Ｃ１２に記載の方法。
［Ｃ１４］
前記第２の接続を無効化することが、前記トラフィックアグリゲーションを無効化するために前記第１のアクセスポイントにメッセージを送ることを備える、Ｃ１２に記載の方法。
［Ｃ１５］
トラフィックアグリゲーションを無効化するために前記第１のアクセスポイントに前記メッセージを送ることが、前記１つまたは複数の他の接続を開始するという前記指示を受信することによりトラフィックアグリゲーションを無効化することに関係する原因コードを前記メッセージ中で送ることを備える、Ｃ１４に記載の方法。
［Ｃ１６］
前記１つまたは複数の他の接続を終了することに少なくとも部分的に基づいて前記１つまたは複数の他の接続の終了に関係する別の指示を前記第１のアクセスポイントに送ることと、
前記第１のアクセスポイントに前記別の指示を送ることに少なくとも部分的に基づいて前記第１のワイヤレスネットワークにアクセスするために前記第２のＲＡＴを使用して別の接続を開始することと
をさらに備える、Ｃ１５に記載の方法。
［Ｃ１７］
前記第１のワイヤレスネットワークへのパケットコアアクセスのためにではなく、１つまたは複数のポリシーによって指定された前記第１の接続または前記第２の接続からの指定されたトラフィックオフロードのために前記第３の接続を利用することに少なくとも部分的によって前記第２のＲＡＴを使用して第３のアクセスポイントとの第３の接続を管理することをさらに備える、Ｃ１に記載の方法。
［Ｃ１８］
指定されたトラフィックオフロードのために前記第３の接続を利用することが、前記第１のワイヤレスネットワークへのパケットコアアクセスをサポートする前記第３のアクセスポイントの能力を通知することを控えることを備える、Ｃ１７に記載の方法。
［Ｃ１９］
指定されたトラフィックオフロードのために前記第３の接続を利用することが、前記第３の接続のための前記第３のアクセスポイントを選択する際に前記第１のワイヤレスネットワークへのパケットコアアクセスをサポートする前記第３のアクセスポイントの能力を検討することを控えることを備える、Ｃ１７に記載の方法。
［Ｃ２０］
指定されたトラフィックオフロードのために前記第３の接続を利用することが、前記第３の接続のための前記第３のアクセスポイントを選択する際に前記第１のワイヤレスネットワークへのパケットコアアクセスをサポートする発見されたアクセスポイントの能力を検討することを控えることを備える、Ｃ１７に記載の方法。
［Ｃ２１］
前記第２の接続を管理することが、トラフィックアグリゲーションを利用すべき複数のベアラのサブセットを決定することに少なくとも部分的に基づき、
前記第２のＲＡＴを使用した前記複数のベアラの前記サブセットを介した通信のために前記第２の接続を利用することと、
前記第２のＲＡＴを使用した前記複数のベアラの残りの部分を介した通信のために１つまたは複数の他の接続を利用することと
をさらに備える、Ｃ１に記載の方法。
［Ｃ２２］
前記複数のベアラの前記残りの部分を介した通信のために前記１つまたは複数の他の接続を利用することが、前記第２のＲＡＴのための１つまたは複数のポリシーに少なくとも部分的に基づく、Ｃ２１に記載の方法。
［Ｃ２３］
前記第２のＲＡＴを使用した前記複数のベアラの前記サブセットを介した通信のために前記第２の接続を利用することが、前記１つまたは複数の他の接続にオフロードするために前記複数のベアラが利用可能でないことを示すことを備える、Ｃ２１に記載の方法。
［Ｃ２４］
オフロードするために前記複数のベアラが利用可能でないことを示すことが、前記第２のＲＡＴに指定される１つまたは複数のポリシー中で行われる、Ｃ２３に記載の方法。
［Ｃ２５］
複数の無線アクセス技術（ＲＡＴ）を使用して１つまたは複数のワイヤレスネットワークと通信するための装置であって、
第１のワイヤレスネットワークにアクセスするために第１の接続を介して第１のＲＡＴを使用して第１のアクセスポイントと通信することと、第２の接続を介して第２のＲＡＴを使用して第２のアクセスポイントと通信することと、ここにおいて、前記第２の接続が、前記第１のアクセスポイントから受信された構成に少なくとも部分的に基づいて前記第１の接続とのトラフィックアグリゲーションを実施するように構成される、を行うように構成された通信構成要素と、
前記第１の接続との前記トラフィックアグリゲーションの前記第２の接続を少なくとも部分的にベースとした前記実施を管理することを行うように構成された接続管理構成要素と
を備える、装置。
［Ｃ２６］
前記接続管理構成要素は、前記トラフィックアグリゲーションを実施するように構成された前記第２の接続が、前記第２のＲＡＴの１つまたは複数の他の接続よりも優先されるかどうかを決定することに少なくとも部分的によって前記第２の接続を管理するように構成される、Ｃ２５に記載の装置。
［Ｃ２７］
複数の無線アクセス技術（ＲＡＴ）を使用して１つまたは複数のワイヤレスネットワークと通信するための装置であって、
第１のワイヤレスネットワークにアクセスするために第１の接続を介して第１のＲＡＴを使用して第１のアクセスポイントと通信するための手段と、
第２の接続を介して第２のＲＡＴを使用して第２のアクセスポイントと通信するための手段と、ここにおいて、前記第２の接続が、前記第１のアクセスポイントから受信された構成に少なくとも部分的に基づいて前記第１の接続とのトラフィックアグリゲーションを実施するように構成される、
前記第１の接続との前記トラフィックアグリゲーションの前記第２の接続を少なくとも部分的にベースとした前記実施を管理するための手段と
を備える、装置。
［Ｃ２８］
前記第２の接続を管理するための前記手段は、前記トラフィックアグリゲーションを実施するように構成された前記第２の接続が、前記第２のＲＡＴの１つまたは複数の他の接続よりも優先されるかどうかを決定することに少なくとも部分的によって前記第２の接続を管理するように構成される、Ｃ２７に記載の装置。
［Ｃ２９］
複数の無線アクセス技術（ＲＡＴ）を使用して１つまたは複数のワイヤレスネットワークと通信するための非一時的コンピュータ可読記憶媒体であって、少なくとも１つのコンピュータに、第１のワイヤレスネットワークにアクセスするために第１の接続を介して第１のＲＡＴを使用して第１のアクセスポイントと通信することを行わせるためのコードと、
前記少なくとも１つのコンピュータに、第２の接続を介して第２のＲＡＴを使用して第２のアクセスポイントと通信することを行わせるためのコードと、ここにおいて、前記第２の接続が、前記第１のアクセスポイントから受信された構成に少なくとも部分的に基づいて前記第１の接続とのトラフィックアグリゲーションを実施するように構成される、  前記少なくとも１つのコンピュータに、前記第１の接続との前記トラフィックアグリゲーションの前記第２の接続を少なくとも部分的にベースとした前記実施を管理することを行わせるためのコードと
を備える、非一時的コンピュータ可読記憶媒体。
［Ｃ３０］
前記第２の接続を管理するための前記コードは、前記トラフィックアグリゲーションを実施するように構成された前記第２の接続が、前記第２のＲＡＴの１つまたは複数の他の接続よりも優先されるかどうかを決定することに少なくとも部分的によって前記第２の接続を管理するためのコードを備える、Ｃ２９に記載のコンピュータ可読媒体。